(57)【要約】【課題】  光の反射角度（屈折率）の変化を向上させ、変化に富んだ色調（光輝感）を得ることができる、化粧パネルを提供する。【解決手段】  基材２表面全面にエンボスを形成し、エンボス面全面にわたって、扁平状のマイカ粉または金属粉５１を含有する偏光塗料５を塗装してなる化粧パネル１とする。【選択図】図１
2006090061.tif 000002
【特許請求の範囲】
【請求項１】
基材表面全面にエンボスを形成し、エンボス面全面にわたって、扁平状のマイカ粉または金属粉を含有する偏光塗料を塗装してなることを特徴とする化粧パネル。
【請求項２】
エンボスの形状が、ウェーブ形状である請求項１記載の化粧パネル。
【請求項３】
ウェーブ形状が、断面略三角形状である請求項２記載の化粧パネル。
【請求項４】
ウェーブ形状が、断面略サインカーブ形状である請求項２記載の化粧パネル。
【発明の詳細な説明】
【技術分野】
【０００１】
本願発明は、浴室の壁材等として使用する化粧パネルに関するものである。
【背景技術】
【０００２】
従来、浴室の壁材等、建物の内外装に用いられる化粧パネルとしては、たとえば、図４に示したように、基材１０２表面に、＜１＞ベース塗料１０３による下地塗装、＜２＞粒状のマイカ粉１０５を含有するマイカ塗料１０４によるマイカ塗装、＜３＞クリア塗料１０６によるクリア塗装を順次施すことで、装飾性を向上させた化粧パネル１０１が知られている。この化粧パネル１０１に矢印で示したように光が入射した際、その光が基材１０２表面に塗装されているマイカ塗料１０４の粒状のマイカ粉１０５にあたり、光の反射角度（屈折率）が変化して、化粧パネル１０１表面における変色効果を高め、光輝感を出すことができる。なお、図４では、基材１０２の下面には、補強層のバックコート層１０７が設けられている。
【０００３】
また、たとえば、表面が目地用の凹状溝で区画されることにより凸状部が形成された板状体（基材に相当）において、この凸状部のみに鱗片状骨材が混入された樹脂液（マイカ塗料に相当）を塗装することで、タイル貼り調や天然石貼り調の立体感および装飾性を強調できる塗装方法が提案されている（特許文献１）。
【特許文献１】特開平７−２４４０３号公報
【発明の開示】
【発明が解決しようとする課題】
【０００４】
しかしながら、図４に例示した化粧パネル１０１では、基材１０２表面が平坦状に形成されており、基材１０２表面に塗装された粒状のマイカ粉１０５は規則的に位置し、矢印で示したように粒状のマイカ粉１０５にあたって反射する光の反射角度（屈折率）も規則的になる。このため、変化に富んだ色調（光輝感）を有する化粧パネル１０１を得ることができないという問題があった。
【０００５】
また、上記特許文献１記載の塗装方法では、鱗片状骨材が混入された樹脂液の塗装は、板状体の表面全面にわたって、施して板状体の装飾性を高めるものではなく、目地用の凹状溝を避けて凸状部表面を選択的に塗装することで装飾性を高めるものであり、上記と同様、光の反射角度（屈折率）も規則的になる。このため、変化に富んだ色調（光輝感）を有する化粧パネル１０１を得ることができないという問題があった。
【０００６】
本願発明は、上記従来の問題点を解消するためになされたものであり、光の反射角度（屈折率）の変化を向上させ、変化に富んだ色調（光輝感）を得ることができる、化粧パネルを提供することを課題とするものである。
【課題を解決するための手段】
【０００７】
本願発明は、上記の課題を解決するものとして、第１には、基材表面全面にエンボスを形成し、エンボス面全面にわたって、扁平状のマイカ粉または金属粉を含有する偏光塗料を塗装してなることを特徴とする。
【０００８】
第２には、エンボスの形状が、ウェーブ形状であることを特徴とする。
【０００９】
第３には、ウェーブ形状が、断面略三角形状であることを特徴とする。
【００１０】
また、第４には、ウェーブ形状が、断面略サインカーブ形状であることを特徴とする。
【発明の効果】
【００１１】
第１の発明によれば、光の反射角度（屈折率）の変化を向上させ、変化に富んだ色調（光輝感）を得ることができる。
【００１２】
また、第２の発明によれば、上記第１の発明の効果に加えて、より効率よく光の反射角度（屈折率）の変化を向上させ、変化に富んだ色調（光輝感）を効果的に得ることができる。
【００１３】
そして、第３の発明または第４の発明によれば、上記第１および第２の発明の効果に加えて、さらに化粧パネル表面の色調（光輝感）を向上させることができる。
【発明を実施するための最良の形態】
【００１４】
本願発明は、上記のとおりの特徴をもつものであるが、以下に、添付した図面に沿って、本願発明の実施形態について詳細かつ具体的に説明する。
【００１５】
図１は、本願発明の化粧パネルの一実施形態を例示した斜視図である。図２は、図１の化粧パネルを例示した断面図である。
【００１６】
図１に例示したとおり、本願発明の化粧パネル１は、プレス加工法や切削加工法等によって凹凸加工を施して、基材２表面全面にエンボスを形成し、エンボス面（凹凸面）全面にわたって、塗料に扁平状のマイカ粉または金属粉５１を含有させた偏光塗料５を塗装してなることを特徴としている。より具体的に説明すると、エンボスを形成した基材２表面全面に、＜１＞ベース塗料３による下地塗装、＜２＞扁平状のマイカ粉または金属粉（たとえば、アルミニウム粉）５１を含有する偏光塗料５の塗装、そして＜３＞クリア塗料４によるクリア塗装を順次施している。
【００１７】
このため、図２に例示したように、偏光塗料５に含まれる扁平状のマイカ粉または金属粉５１は、基材２のエンボスの形状にならって、異なった角度や位置にて配設されることになり、そして、矢印で示したように、光が化粧パネル１の表面に入射した際、その光が基材２表面全面に塗装されている偏光塗料５中の扁平状のマイカ粉または金属粉５１にあたり、さらに光の入射位置によって、光の反射角度（屈折率）が様々に変化（偏光）する。この様々な光の反射角度（屈折率）の変化に基因して、化粧パネル１の表面の色調（光輝感）が異なり、十分な意匠効果を発揮させることができる。このような特徴を有する本願発明の化粧パネル１は、建物の内装や外装、たとえば浴室の壁材等に利用することができる。
【００１８】
また、化粧パネル１の基材２表面全面に形成されるエンボスの形状は、図１および図２の例のように、ウェーブ形状に形成されていることで、より効率よく光の反射角度（屈折率）の変化を向上させ、変化に富んだ色調（光輝感）を得ることができる。
【００１９】
なお、図２に例示したように基材２の下面には、補強層としてバックコート層６が設けられていてもよい。
【００２０】
本願発明におけるマイカ粉または金属粉５１は、原色のものを使用してもよいが、異なった色に着色された複数の扁平材を混ぜ合わせて使用してもよく、この場合、複雑な混合色が表現できるため装飾的価値をさらに高めることができる。このようなマイカ粉または金属粉５１を含有する偏光塗料５を塗装する際においても、マイカ粉または金属粉５１が扁平状であるため、各種塗装機器のフィルターにマイカ粉または金属粉５１が詰まることなく色ムラの発生を抑制することができる。
【００２１】
また、塗料としては、たとえば、ウレタン系、アクリル系、アミノアルキッド系等の樹脂に、有機質もしくは無機質の着色顔料を含有させたものを主成分とした塗料を用いることができる。つまり、これら各種の塗料をベース塗料３として使用したり、扁平状のマイカ粉または金属粉５１を含有させて偏光塗料５として使用したりすることができる。また、表面に塗装（ＴＯＰ塗装）するクリア塗料４の場合は、ウレタン系、アルキッド系、ポリエステル系、アクリル系、シリコン系またはフッ素系等の樹脂であって、透明に着色されたものを用いることができる。さらに説明すると、クリア塗料４としては、紫外線硬化型のクリア塗料４を塗装してもよい。このようにクリア塗料４を塗装することで、化粧パネル１は、耐汚染性が優れ、塗膜硬度も非常に硬く、耐傷つき性も優れている。特に、紫外線硬化型のクリア塗料４による塗装は、上記のとおり、耐汚染性や塗膜硬度、耐傷つき性に加え、さらに耐薬品性にも優れているため、さらに好ましい。
【００２２】
図３は、本願発明の化粧パネルの基材表面全面に形成されたエンボスの形状を例示した基材の断面図であり、（Ａ）は断面が二等辺三角形状に形成されたエンボスの形状を、（Ｂ）は断面が両辺の斜度が異なる三角形状に形成されたエンボスの形状を、（Ｃ）は断面がサインカーブ形状に形成されたエンボスの形状を示している。
【００２３】
そして、図３（Ａ）（Ｂ）（Ｃ）に例示したように、基材２に形成されたウェーブ形状のエンボスの形状は、断面が略三角形状、もしくは、断面が略サインカーブ形状に形成されることで、化粧パネル１表面の色調（光輝感）をさらに向上させることができる。
【００２４】
また、断面が略三角形状に形成されたエンボスの形状は、図３（Ａ）の例のように、二等辺三角形の形状としてもよいし、図３（Ｂ）の例のように、一辺の斜度が小さく他辺の斜度が大きい三角形の形状等としてもよい。また、図３（Ｃ）に例示したように、断面が略サインカーブ形状の場合、矢印aと矢印bの寸法が略同じであり、その凹凸の形成周期は規則的（一定）である。
【００２５】
なお、これらウェーブ形状に形成されたエンボスの凹凸の形成周期は規則的（一定）であってもよいし、不規則的であってもよい。また、その凹凸の大きさは、適宜に変更することができる。また、基材２表面のエンボスは、図１から図３の例のように、一方向のウェーブ形状に形成されている以外にも、図には示していないが、二方向（直交）の格子状に形成されていてもよい。
【００２６】
もちろん、本願発明の化粧パネル１は、以上の例示によって限定されるものではない。たとえば、化粧パネル１の基材２の材質としては、ガラス繊維強化セメント板、石綿セメント板、炭酸マグネシウム板、パルプセメント板、スラグセメント板、ケイ酸カルシウム板等の無機質系材料からなるもの、木質材料や合成樹脂材料等からなるものを用いることもできる。また、本願発明における各塗料の塗装方法は、特に限定されるものではなく、たとえば、フローコーターやスプレーコーター、ロールコーター等により塗装することができる。
【図面の簡単な説明】
【００２７】
【図１】本願発明の化粧パネルの一実施形態を例示した斜視図である。
【図２】図１の化粧パネルを例示した断面図である。
【図３】本願発明の化粧パネルの基材表面全面に形成されたエンボスの形状を例示した基材の断面図であり、（Ａ）は断面が二等辺三角形状に形成されたエンボスの形状を、（Ｂ）は断面が両辺の斜度が異なる三角形状に形成されたエンボスの形状を、（Ｃ）は断面がサインカーブ形状に形成されたエンボスの形状を示している。
【図４】従来の化粧パネルと光の反射角度の変化を例示した断面図である。
【符号の説明】
【００２８】
１  化粧パネル
２  基材
３  ベース塗料
４  クリア塗料
５  偏光塗料
５１  マイカ粉または金属粉
６  バックコート層
１０１  化粧パネル
１０２  基材
１０３  ベース塗料
１０４  マイカ塗料
１０５  マイカ粉
１０６  クリア塗料
１０７  バックコート層
【図１】
2006090061.tif 000003
【図２】
2006090061.tif 000004
【図３】
2006090061.tif 000005
【図４】
2006090061.tif 000006